(57)【特許請求の範囲】
【請求項１】
固定枠に対して光軸方向に移動させるヘリコイドねじと、回動駆動するための平歯車とを後端外周に設け、内面にはカム溝を有するカム枠と、このカム枠のカム溝に突入させる連動ピンを有し、カム枠の回動にしたがって光軸方向に移動するレンズ支持枠と、光軸方向に延設させた直進長孔を有し、上記連動ピンをその直進長孔を通してカム溝に突入させてレンズ支持枠を非回動に保持するガイド枠とを備えたレンズ鏡胴において、
上記カム枠のカム溝はカム枠一端に連通させると共に、上記したガイド枠には直進長孔に連通させた導入孔を設け、
上記したレンズ支持枠の連動ピンを上記導入孔を通して直進長孔内に入るようにしてカム枠一端からカム溝に嵌入させる構成とし、
さらに、上記ガイド枠に取外し自在に固着して上記導入孔を閉塞するカバー枠板と、ヘリコイドねじによって移動するカム枠の移動端で上記平歯車に当接し、カム枠の回動を規制するストッパーとを備えたことを特徴とするレンズ鏡胴。
【発明の詳細な説明】
【０００１】
【発明の属する技術分野】
この発明は、部品点数を増加させることなく、かつ、組立てと分解を容易にしたレンズ鏡胴に関する。
【０００２】
【従来の技術】
図７はカメラのズ−ムレンズ鏡胴を示す簡略断面図である。
このズ−ムレンズ鏡胴は、固定枠１０、第１移動枠（カム枠）１１、第２移動枠１２の３層構成となっており、また、第２移動枠１２に取付けたレンズ支持枠１３に前レンズ群Ｌ１を支持させ、第１移動枠１１によってカム送りされるレンズ支持枠１４に後レンズ群Ｌ２を支持させた２群レンズ構成となっている。
【０００３】
固定枠１０はカメラ本体に取付けて固定されるもので、この固定枠１０は円筒状に形成され、その内面にはヘリコイドねじ（雌）１０ａと光軸方向に直線的に形成されたキ−溝１０ｂとが設けられている。
【０００４】
第１移動枠１１はレンズＬ１、Ｌ２を共に変位させる円筒状のカム枠としての移動枠で、この移動枠１１の後端側外部にはヘリコイドねじ（雄）１１ａが設けてある。
このヘリコイドねじ１１ａは固定枠１０のヘリコイドねじ１０ａに螺合してあり、第１移動枠１１がこれらヘリコイドねじ１０ａ、１１ａにしたがって光軸１５方向に移動する。
【０００５】
また、上記ヘリコイドねじ１１ａが形成された第１移動枠１１の後端外周部には、ヘリコイドねじ１１ａと共に平歯車１１ｂが形成され、この平歯車１１ｂがモ−タ駆動される連動歯車に噛合している。
【０００６】
さらに、第１移動枠１１の内周面には、ヘリコイドねじ（雌）１１ｃと共にカム溝１１ｄが設けられている。
このヘリコイドねじ１１ｃには第２移動枠１２の後側外周部に設けられたヘリコイドねじ（雄）１２ａが螺合し、また、カム溝１１ｄにはレンズ支持枠１４の連動ピン１４ａが突入している。
【０００７】
一方、第１移動枠１１にはガイド腕１６ａを備えたガイド枠１６が嵌着されている。
このガイド枠１６は筒状部１６ｂから光軸方向に向かってガイド腕１６ａが延設され、また、後端部には挟持枠板１７がねじ止めされている。
【０００８】
すなわち、ガイド枠１６の後部外周に設けられている凸条部１６ｃと挟持枠板１７の間に第１移動枠１１の後端フランジ１１ｅを回動自在に嵌合させるようにしてガイド枠１６が第１移動枠１１に取付けられている。
【０００９】
また、挟持枠板１７の外周部に突出させたキ−１７ａを固定枠１０のキ−溝１０ｂに突入させてあり、このキ−１７ａによりガイド枠１６を非回動のまま第１移動枠１１と一緒に光軸１５方向に移動させるようになっている。
【００１０】
上記したガイド枠１６には、ガイド腕１６ａと筒状部１６ｂとにまたがり細長い直進長孔１６ｄが形成され、レンズ支持枠１４の連動ピン１４ａがこの直進長孔１６ｄを通って第１移動枠１１のカム溝１１ｄに突入している。
【００１１】
すなわち、連動ピン１４ａが直進長孔１６ｄに案内されて進むことによってレンズ支持枠１４が非回動で移動する。
また、ガイド腕１６ａがシャッタユニット部１８の孔部１９に出入自在に挿入され、このガイド腕１６ａにより第２移動枠１２を非回動に保持している。
なお、シャッタユニット１８はレンズ支持枠１３と共に第２移動枠１２に取付けられている。
【００１２】
上記したズ−ムレンズ鏡胴は、第１移動枠１１をモ−タ駆動により回動させると、この第１移動枠１１がヘリコイドねじ１０ａ、１１ａによって光軸１５方向に移動する。
したがって、第２移動枠１２が第１移動枠１１と共に移動すると共に、第１移動枠１１の回動により、第２移動枠１２がヘリコイドねじ１１ｃ、１２ａによって光軸１５方向にさらに移動する。
【００１３】
また、第１移動枠１１の回動により、連動ピン１４ａがカム溝１１ｄに押動され、レンズ支持枠１４が光軸１５方向に移動する。
このようにして、前レンズ群Ｌ１と後レンズ群Ｌ２が光軸上を変位してズ−ミングが行なわれる。
【００１４】
【発明が解決しようとする課題】
上記の如く構成されたズ−ムレンズ鏡胴は、その組立てに当っては、先ず、直進長孔１６ｄに連動ピン１４ａを差入れるようにしてレンズ支持枠１４をガイド枠１６に取付け、また、ガイド腕１６ａを孔部１９に差入れ、前レンズユニット２０をガイド枠１６に取付ける。
【００１５】
なお、前レンズユニット２０は、前レンズ群Ｌ１やシャッタユニット部１８などを第２移動枠１２に取付け予めユニット部品として構成しておく。
【００１６】
このように組付けたレンズ取付部品は、第１移動枠１１の前側より嵌め合せて第１移動枠に取付ける。
すなわち、第２移動枠１２のヘリコイドねじ１２ａを第１移動枠１１のヘリコイドねじ１１ｃに螺合させ、また、レンズ支持枠１４の連動ピン１４ａを第１移動枠１１のカム溝１１ｄに嵌め合せるようにして第２移動枠１２を回動し第１移動枠１１内に取付ける。
【００１７】
続いて、第１移動枠１１を固定枠１０の後側より嵌め合せる。
つまり、第１移動枠１１のヘリコイドねじ１１ａを固定枠１０のヘリコイドねじ１０ａに螺合させるようにして第１移動枠１１を回動し固定枠１０に組付ける。
その後、挟持枠板１７をガイド枠１６にねじ止めする。
【００１８】
このように組立てるズ−ムレンズ鏡胴は、第２移動枠１２のヘリコイドねじ１２ａをヘリコイドねじ１１ｃに合せ、また、レンズ支持枠１４の連動ピン１４ａをカム溝１１ｄに合わせるようにしながら第２移動枠１２を第１移動枠１１に取付けなければならないため、組付け難い面がある上、さらに、前レンズ群Ｌ１或いは後レンズ群Ｌ２などの組付け部品を交換する場合には全体的に解体しなければならないと言う問題がある。
【００１９】
例えば、レンズ鏡胴の組立て工程において、レンズに傷、汚れなどがある場合には交換することが多いが、出来るだけ解体を少なくして交換できるようにすることが作業能率の上において好ましい。
【００２０】
本発明は上記した実情にかんがみ、部品点数を増加させることなく、組立てと分解を容易にしたレンズ鏡胴を提案することを目的とする。
【００２１】
【課題を解決するための手段】
上記した目的を達成するため、本発明では、固定枠に対して光軸方向に移動させるヘリコイドねじと、回動駆動するための平歯車とを後端外周に設け、内面にはカム溝を有するカム枠と、このカム枠のカム溝に突入させる連動ピンを有し、カム枠の回動にしたがって光軸方向に移動するレンズ支持枠と、光軸方向に延設させた直進長孔を有し、上記連動ピンをその直進長孔を通してカム溝に突入させてレンズ支持枠を非回動に保持するガイド枠とを備えたレンズ鏡胴において、
上記カム枠のカム溝はカム枠一端に連通させると共に、上記したガイド枠には直進長孔に連通させた導入孔を設け、上記したレンズ支持枠の連動ピンを上記導入孔を通して直進長孔内に入るようにしてカム枠一端からカム溝に嵌入させる構成とし、さらに、上記ガイド枠に取外し自在に固着して上記導入孔を閉塞するカバー枠板と、ヘリコイドねじによって移動するカム枠の移動端で上記平歯車に当接し、カム枠の回動を規制するストッパーとを備えたことを特徴とするレンズ鏡胴を提案する。
【００２２】
このように構成したレンズ鏡胴は、カバ−枠板をガイド枠から取り外すだけで、レンズ支持枠を取り出すことができる。
すなわち、カバ−枠板を取り外すと、ガイド枠の導入孔が開口するから、レンズ支持枠の連動ピンをその導入孔を通して引き出すことができる。
【００２３】
これにより、連動ピンが直進長孔から抜け出し、カム枠一端に連通したカム溝から外れるので、カバ−枠板を取り外すだけでレンズ支持枠の取り出しが可能になる。
この結果、全体的に解体することなくレンズ交換することができ、また、レンズ支持枠の組付けが極めて簡単となる。
【００２５】
また、この発明のレンズ鏡胴によれば、カム枠が回動にともなって移動し、その移動範囲の一端まで移動したとき、平歯車がストッパーに当接し、カム枠の回動と移動が停止される。
このように構成することにより、カム枠にはストッパーに当接させるためのストッパー当接部を設ける必要がなく、カム枠の設計と金型製作に制約をうけなく有利となる。
【００２６】
【発明の実施の形態】
次に、本発明の実施形態について図面に沿って説明する。
図１は本発明をカメラのズ−ムレンズ鏡胴に実施した一例を示す簡略断面図、図２は同ズ−ムレンズ鏡胴の分解斜視図である。
【００２７】
このズ−ムレンズ鏡胴は、カム枠としての第１移動枠１１のカム溝１１ｄをこの移動枠１１の後端に連通させてあること、直進長孔１６ｄに連通させた導入孔１６ｅをガイド枠１６に形成してあること、固定枠１０のキ−溝１０ｂに突入させるキ−１６ｆをガイド枠１６に設けてあること、フランジ受け片部１７ｂを挟持枠板１７に設けたことが特徴となっている。
【００２８】
なお、その他の構成は図７に示した従来例のズ−ムレンズ鏡胴と同じ構成であるから、同一部材については同符号を付してその説明を省略する。
【００２９】
本実施形態のズ−ムレンズ鏡胴は、第１移動枠１１のカム溝１１ｄをこの移動枠１１の後端まで形成し、第１移動枠１１の後端面にカム溝凹口を露呈させ、レンズ支持枠１４の連動ピン１４ａの先端部を第１移動枠１１の後側からカム溝１１ｄに嵌入できる構成としてある。
【００３０】
また、ガイド枠１６には直進長孔１６ｄに連通させた導入孔１６ｅが形成してある。
この導入孔１６ｅは筒状部１６ｂの後端側に形成してあり、この導入孔１６ｅからレンズ支持枠１４の連動ピン１４ａを差し入れ直進長孔１６ｄより突出させるようにしてある。
【００３１】
さらに、このガイド枠１６の後側外周囲にはキ−１６ｆを突出形成し、このキ−１６ｆを固定枠１０のキ−溝１０ｂに突入させ、ガイド枠１６を非回動で光軸１５方向に移動させる構成としてある。
【００３２】
また、挟持枠板１７の周囲部には、先端を凸部形成したフランジ受け片部１７ｂが設けてある。
この挟持枠板１７はガイド枠１６にねじ止めするが、そのフランジ受け片部１７ｂをガイド枠１６の凹形部１６ｇを通すようにして取付ける。
【００３３】
挟持枠板１７をこのように取付けることで、そのフランジ受け片部１７ｂの先端凸部とガイド枠１６とで第１移動枠１１の後端フランジ１１ｅを回動自在に挟持するようにし、この挟持構成によってガイド枠１６が第１移動枠１１の回動を許容するようにしてこの第１移動枠１１に取付けられる。
【００３４】
このように構成したズ−ムレンズ鏡胴の組立ては、先ず、ガイド枠１６のガイド腕１６ａを孔部１９に挿入して前レンズユニット２０をガイド枠１６に取付ける。
そして、この組付け部品を第１移動枠１１の後側から嵌合させる。
つまり、第２移動枠１２のヘリコイドねじ１２ａを第１移動枠１１のヘリコイドねじ１１ｃに螺合させるようにして組付ける。
【００３５】
続いて、第１移動枠１１を固定枠１０の後側より嵌合する。
つまり、第１移動枠１１のヘリコイドねじ１１ａを固定枠１０のヘリコイドねじ１０ａに螺合させるようにして組付ける。
【００３６】
その後、連動ピン１４ａをガイド枠１６の導入孔１６ｅより差し入れ、また、第１移動枠１１のカム溝１１ｄより嵌合させ、この連動ピン１４ａを直進長孔１６ｄに導くようにしてレンズ支持枠１４を組付ける。
【００３７】
引き続いて、フランジ受け片部１７ｂをガイド枠１６の凹形部１６ｇより差し入れるようにして挟持枠板１７をガイド枠１６にねじ止めする。
なお、第１移動枠１１の後端フランジ１１ｅにはフランジ受け片部１７ｂを通すための切欠部が設けてある。
【００３８】
したがって、後端フランジ１１ｅがフランジ受け片部１７ｂより外れない領域に、また、連動ピン１４ａがカム溝１１ｄより外れない領域に第１移動枠１１を回動した位置で挟持枠板１７をねじ止めする。
このようにねじ止めされる挟持枠板１７はガイド枠１６の導入孔１６ｅを閉塞するカバ−枠板ともなっている。
【００３９】
最後にストッパ−２１を固定枠１０の後方部にねじ止めする。
このストッパ−２１は第１移動枠１１の後方移動の限界位置を規制し、第１移動枠１１の脱線を防止するものである。
すなわち、第１移動枠１１が最終の後方位置まで移動したとき、第１移動枠１１のストッパ−当接部１１ｆがストッパ−２１に当接し、第１移動枠１１の後方移動を停止させる。
【００４０】
上記したズ−ムレンズ鏡胴は、組立てが容易なものとなる他、挟持枠板１７を取り外すだけで、レンズ支持枠１４を簡単に取り外すことができ、後レンズ群Ｌ２の交換が容易となる。
図３はストッパ−２１と挟持枠板１７を取り外してレンズ支持枠１４を取り出した状態を示す斜視図である。
【００４１】
一方、本実施形態では、図２、図４に示したように、第１移動枠１１にストッパ−当接部１１ｆを設け、このストッパ−当接部１１ｆをストッパ−２１に当接させて第１移動枠１１の最終的な移動端を規制する構成となっているが、このように構成すると、ヘリコイドねじ１１ａと平歯車１１ｂとの形成部にストッパ−当接部１１ｆを形成することになるため、第１移動枠１１の設計と金型製作に高度の技術を要し、製作手数とコストの面で必ずしも好ましくない。
【００４２】
そこで、図５、図６に示したように、第１移動枠１１の平歯車一端部１１ｇをストッパ−２１に当接させ、第１移動枠１１の最終的な後方移動を停止させる構成とすることが好ましい。
このように構成すれば、ストッパ−当接部１１ｆを特別に形成する必要がなく、第１移動枠１１の設計と金型製作に有利となる。
【００４３】
以上、カメラのズ−ムレンズ鏡胴に実施した一例について説明したが、本発明はズ−ム機能を有しないレンズ鏡胴についても同様に実施することができ、また、カメラに限らずその他の光学機器のレンズ鏡胴としても同様に実施することができる。
【００４４】
【発明の効果】
上記した通り、本発明のレンズ鏡胴は、連動ピンをガイド枠の導入孔より差し入れ、ガイド枠の直進長孔とカム枠のカム溝に導くようにしてレンズ支持枠を組付ける構成としたことから、レンズ鏡胴の組立てが容易となり、また、カバ−枠板を取り外すだけでレンズ支持枠を取り出すことができるので、組立て工程において傷や汚れのあるレンズを簡単に交換することができる。
【００４５】
また、カム枠には、光軸方向に移動させるヘリコイドねじと、回動駆動する平歯車とを設け、カム枠の最終的な移動端で平歯車一部が当接するストッパ−を備えたので、カム枠には特別にストッパ−当接部を設ける必要がなく、カム枠の設計と製作に有利なレンズ鏡胴となる。
【図面の簡単な説明】
【図１】本発明の実施形態を示すズ−ムレンズ鏡胴の簡略断面図である。
【図２】上記ズ−ムレンズ鏡胴の分解斜視図である。
【図３】レンズ支持枠を取り出した状態を示す上記ズ−ムレンズ鏡胴の斜視図である。
【図４】上記ズ−ムレンズ鏡胴に備えたカム枠としての第１移動枠に設けたストッパ−当接部を示した部分図である。
【図５】カム枠としての第１移動枠を後方移動位置で回動規制するストッパ−を示した上記ズ−ムレンズ鏡胴の部分的な後面図である。
【図６】カム枠としての第１移動枠を後方移動位置で回動規制する改良構成を示した部分図である。
【図７】従来例として示したズ−ムレンズ鏡胴の簡略断面図である。
【符号の説明】
１０  固定枠
１１  第１移動枠
１１ａ  ヘリコイドねじ
１１ｂ  平歯車
１１ｃ  ヘリコイドねじ
１１ｄ  カム溝
１１ｅ  後端フランジ
１１ｆ  ストッパ−当接部
１１ｇ  平歯車一端部
１２  第２移動枠
１３  レンズ支持枠
１４  レンズ支持枠
１４ａ  連動ピン
１６  ガイド枠
１６ａ  ガイド腕
１６ｄ  直進長孔
１６ｅ  導入孔
１７  挟持枠板
１７ｂ  フランジ受け片部
２０  前レンズユニット
２１  ストッパ−
【図１】
0004626735.tif 000002
【図２】
0004626735.tif 000003
【図３】
0004626735.tif 000004
【図４】
0004626735.tif 000005
【図５】
0004626735.tif 000006
【図６】
0004626735.tif 000007
【図７】
0004626735.tif 000008